(57)【要約】【課題】本発明は、ヘアブラシの使用者が右利きでも左利きでもどちらでも利用することができるとともに、Ｓ字ブラシと同様毛髪とブラシとの接触領域をできるだけ広範囲に亘って確保できるヘアブラシを提供することを課題とする。【解決手段】ヘアブラシ１は、ブラシ毛を有する植毛部２０と、この植毛部２０と一体に形成された把持部４０とを有する。そして、ヘアブラシ１は、その長手方向に伸びる中心線Ｌに対して線対称であるとともに、植毛部２０の両側縁２３は、内側に突出する円弧形状に形成されている。【選択図】図１
2006043275.tif 000002
【特許請求の範囲】
【請求項１】
ブラシ毛を有する植毛部と、この植毛部と一体に形成された把持部とを有するヘアブラシであって、
その長手方向に伸びる中心線に対して線対称であるとともに、植毛部はその両側縁が内側に突出する円弧形状であることを特徴とするヘアブラシ。
【請求項２】
前記円弧は、人体頭部額部分の水平断面における平均的な曲率に合致した曲率を有することを特徴とする請求項１に記載のヘアブラシ。
【発明の詳細な説明】
【技術分野】
【０００１】
本発明はヘアブラシに関する。
【背景技術】
【０００２】
ヘアブラシとしては、これまで多数のヘアブラシが提案されている。
図１２はいわゆるＳ字ブラシと称されるヘアブラシであり、主としてブラッシングに使用される。
【０００３】
符号１０で示すＳ字ブラシは、植毛部１００と把持部１０２とがプラスチックその他の材料から一体形成され、その形状が緩やかなＳ字形をしている関係でＳ字ブラシと呼称される。すなわちＳ字ブラシは、植毛部１００の植毛面１００ａと対面した状態でこれを見ると、右斜め上方から左斜め下方にかけてＳ字カーブを描くようなラインをしているのでＳ字ブラシと称される。
【０００４】
ところでＳ字ブラシがこのようなラインをしているのは、ブラシのかけ方と、額の水平断面形状との関係による。すなわちブラシは人毛の生えていない額の生え際から寝かせて入れ（植毛部１００を下方に向けてかつ額に対して直角にした状態）、ブラシをおこしながら（植毛部１００が額に対して平行になるように手首を外側にひねるようにしながら）そのまま頭頂部に向けて引くようにしてブラッシングする。
【０００５】
一回のブラッシングにあたっては、頭部とブラシとの接触領域をできるだけ広範囲に亘って確保し、一度にできるブラッシング範囲を広げた方が作業効率上好ましい。これはブラシが直線形状であると、頭部にブラシを当てたときに毛髪とブラシとの接触領域が狭められてしまうことが容易に想像できることより明らかであろう。またブラシをおこす場合、既述のように手首をひねるが、このときに把持部が棒状に真っ直ぐであるよりも緩やかな円弧形状である方が、これを把持した時に掌球部分との馴染みがよく、この結果ブラシの操作がし易くなるからである。
【０００６】
このようにＳ字形であることのメリットは大きいが、量産上の採算性の観点からこれまでＳ字ブラシは右利き用のものしかなく、左効きの使用者はＳ字ブラシの利点を享受できなかった。
【０００７】
なお、ヘアブラシに係る特許文献として従来次のような文献が知られている。
【特許文献１】実開平５−９３２５６号公報
【特許文献２】実開平７−２７３２９号公報
【特許文献３】実開平７−９１３１号公報
【特許文献４】実開平７−７５２６号公報
【特許文献５】実開平１１−３３２６４９号公報
【特許文献６】特開２００２−１２５７５９号公報
【特許文献７】特開２００４−１４１５９９号公報
【発明の開示】
【発明が解決しようとする課題】
【０００８】
本発明はこのような実情に鑑みてなされたものであり、その解決しようとする課題は、ヘアブラシの使用者が右利きでも左利きでもどちらでも利用することができるとともに、毛髪とブラシとの接触領域をできるだけ広範囲に亘って確保し、もって一度にできるブラッシング範囲を広げることで作業効率を高めることができるヘアブラシを提供することに
ある。
【課題を解決するための手段】
【０００９】
そこで本発明は、上記課題を解決するために以下の手段を採用した。
【００１０】
すなわち、本発明のヘアブラシは、ブラシ毛が付いた植毛部と、この植毛部と一体に形成された把持部とを有するヘアブラシであって、その長手方向に伸びる中心線に対して線対称であるとともに前記植毛部はその両側縁が内側に突出する円弧形状である。
【００１１】
本発明のヘアブラシは、中心線に対して線対称であるから中心線を境に左右で対称形状である。
【００１２】
また植毛部両側縁の円弧の曲率を、人体頭部の額部分の水平断面における平均的な曲率に合致させると好適である。このようにすることで、Ｓ字ブラシでブラッシングする時と同様、人体頭部の額部分にブラシの植毛部の大部分が当接するようになる。
【発明の効果】
【００１３】
よって本発明によれば、ヘアブラシの使用者が右利きでも左利きでもどちらでも利用することができるとともに、毛髪とブラシとの接触領域をできるだけ広範囲に亘って確保し、もって一度にできるブラッシング範囲を広げることで作業効率を高めることができる。
【発明を実施するための最良の形態】
【００１４】
以下、図面を参照して本発明に係るヘアブラシの好適な実施形態を説明する。
【００１５】
図１はヘアブラシ１を右手で把持した状態の斜視図であり、図２はヘアブラシ１を左手で把持した状態の斜視図であり、図３は背面図であり、図４は側面図である。
【００１６】
ヘアブラシ１は、例えば合成樹脂や木材でできたものであり、ブラシ毛５が付いた植毛部２０と、この植毛部２０と一体に形成された把持部４０とを有するヘアブラシであって、平面で見た場合、その長手方向に伸びる中心線Ｌ（図３参照）に対して線対称である。
【００１７】
植毛部２０は、基板２２と基板２２の一方の面（以後、植毛面）２２ａに植毛されたブラシ毛５を有する。
【００１８】
基板２２は、把持部４０よりも幅があり、平面又は背面で見て全体形状がほぼ長四角形状であるが、基板２２の両側縁２３，２３は、内側に突出する円弧形状に形成されている。よって、基板２２は、中細りの概略矩形板状体といえる。また、基板２２の先端部２５は、外側に突出する円弧形状をしている（図３参照）。さらに基板２２のうち先端部２５と対向関係にある把持部側の端縁は、斜め形状で側方へ張り出したエラ部２７とされている。なお、両側縁２３，２３の円弧は、球形状をしている人体頭部額部分の水平断面における平均的な曲率に合致した曲率を有すると好適である。
【００１９】
そして基板２２は、その植毛面２２ａおよびこの植毛面２２ａと対向するブラシ毛のない面である背面２２ｂが、反ブラシ側に突出した状態で緩やかに湾曲している。
基板２２の両側縁２３，２３と共に植毛面２２ａや背面２２ｂの円弧は、球形状をしている人体頭部の額部分の水平断面における平均的な曲率にほぼ合致した曲率を有する。なお、ブラシ毛５の長さはどれも同じ長さであるので、曲率のある植毛面２２ａにブラシ毛５を植設するとブラシ毛５の配列も全体として円弧を描くようになる。
【００２０】
背面２２ｂは、その長手方向における中央よりも把持部４０側に背面２２ｂの両側から
前記中心線Ｌに向けてかつ把持部４０側に収束するように斜めに形成された指置き凹部２８が複数（この実施の形態では、把持部４０の両側にそれぞれ２つずつ合計４つ）形成されている。これは、ブラッシングを行うのに背面２２ｂを持つ人が少なくない（寧ろ美・理容業者はこのように把持する場合が多い。）ことを考慮したものである。
【００２１】
背面２２ｂの両側にそれぞれ形成されている指置き凹部２８，２８は、人差し指および中指を安定的に置くためのものであり、便宜上、人差し指用の指置き凹部を符号２８ａで、中指用の指置き凹部を符号２８ｂで示すことにする。これら指置き凹部２８ａ，２８ｂは、内側（中心線Ｌ側）よりも外側（側縁側）になる程間口が大きくなるようにされ、また指の断面形状に合わせて断面が円弧形状をしており、恰も中空円錐をその頂点を除いて長手方向に沿って切断したごとき、扁平な切り欠き形状をしている。
【００２２】
指置き凹部２８ａ，２８ｂのうち、エラ部２７側に形成されたものが中指用であり、他方が人差し指用であるが、両者の大きさは同じである。ただし、一般的な傾向として人差し指の方が中指よりも細いため、置かれる指の太さに対応させて指置き凹部２８ａ，２８ｂの大きさを変えてもよいのは勿論である。また指置き凹部２８ａ，２８ｂを基板２２の両側に形成したのは、右手使いの人でも左手使いの人でもどちらにも適用できるようにするためである。
【００２３】
なお、親指の置き場所は、図１や図２のように基板２２の一方の側の指置き凹部２８ａ，２８ｂに対向する側の側縁に当接させ、薬指および小指については、把持部４０に宛がう。
また、図１や図２の状態で親指だけを図６のように植毛面２２ａのうちエラ部２７側の適所であってブラシ毛の設けられていない箇所２２ａ１（例えば図３や図４参照）に当ててもよい。
【００２４】
さらに、図６や図７のように、人差し指と親指だけで基板２２を保持し、残りの中指，薬指および小指を把持部４０に宛がうようにしてもよい。すなわち、図６のように親指および差し指をそれぞれ植毛部２０の両側縁に宛がってもよいし、図７のように親指を前記ブラシ毛の設けられていない箇所２２ａ１に当て、人差し指を植毛部２０の側縁に宛がってもよい。図６や図７の場合、人差し指の位置は、人差し指用の指置き凹部２８ａでなくても、中指用の指置き凹部２８ｂであってもよい。また、親指の置かれる箇所２２ａ１は、ブラシ面のうち前記把持部寄りの箇所であり、植毛面２２ａにおける他の部位よりも曲率の小さな面にすることで親指の座りをよくしてもよいし、親指専用であって指置き凹部２８ａ，２８ｂと同じ概念の指置き凹部２８ｃを設けてもよい。
【００２５】
勿論図８のように掌全体で把持部４０を把持してもよい。図８で示すように掌全体で把持部４０を持つよりも、図１，図２，図５等で示すように、基板２２に指が掛かるように持った方が、スナップが利き手首の力を利用してブラッシングし易い。
【００２６】
把持部４０を把持する指のうち、最も基板２２側に位置する指は、エラ部２７に当該指の側縁が当たり、その抜けを有効に防止する。例えば図７では、中指がエラ部２７に当接した状態にある。
【００２７】
把持部４０は、各図からわかるように植毛部２０よりも一回り小さい板状体であって、その両側は波状に起伏している。また把持部４０はその表裏面も波打っており、把持部４０のうち基板２２の背面側に対応する面部（以下、背面部）４０ａよりも植毛部２０に対応する面部（以下、植面部）４０ｂの起伏が激しい（図４、５参照）。このように把持部４０の両側および前記面部４０ａ，４０ｂが波打っている（この実施の形態では、起伏が三回連なっている。）のは、把持部４０を掌で把持した時に、掌へのフィット感を高め持
ち易くするためである。
【００２８】
また把持部４０の後端部４２は背面部４０ａ側に幾分曲折され、当該後端部４２の掌への当たりを良好となるようにしている。このように把持部４０の両側および両面が波打っていたり、後端部４２が曲折されているのは、すべて作業中のヘアブラシの握り具合を良好にするためである。
【００２９】
次にこのようなヘアブラシ１を用いてブラッシングする状態を図９〜図１１を参照して説明する。
例えば図１又は図２のように利き腕でヘアブラシ１の基板２２を持ったなら、植毛部２０の植面部４０ｂを下方に向けてかつ額５０に対して基板２２を直角にした状態でかつ両側縁２３の一方を額５０に当接した状態にする（図９）。そして、その状態から植毛部２０の植面部４０ｂが額５０に対して平行になるように手首を額側にひねってヘアブラシ１を起こしながら（図１０）、その後、そのまま頭頂部に向け毛髪５２に対してヘアブラシ１を引くようにしてブラッシングする（図１１）。
【００３０】
ヘアブラシ１は、中心線Ｌに対して線対称であるから、中心線Ｌを境に左右対称である。また植毛部２０の両側縁２３の円弧や植毛面２２ａの曲率を、球形状をしている人体頭部の額部分の水平断面における平均的な曲率に合致させてあるので、Ｓ字ブラシでブラッシングする時と同様、人体頭部の額部分にブラシの植毛部の大部分が当接するようになる。
【００３１】
このようなヘアブラシ１にあっては、その使用者が右利きでも左利きでもどちらでも利用することができるとともに、毛髪５２とヘアブラシ１との接触領域をできるだけ広範囲に亘って確保できる。よって、一度にできるブラッシング範囲を広げられるので、作業効率を高めることができる。
【００３２】
また、把持部４０の両側および表裏面がいずれも波打っているので、ヘアブラシ１を把持したときの掌および各指に対するフィット感が好適である。よって、ヘアブラシ１は、Ｓ字ブラシのように湾曲していなくても、その操作性に優れているといえる。さらに、基板２２に設けられた指置き凹部２８に指が掛かるように持てるので、スナップが利き易くなり、手首の力を利用してブラッシングし易い。そればかりか指置き凹部２８に指を置くことで、作業中、手から落ちにくいという効果も奏する。
【００３３】
なお、本発明は上述の図示例にのみ限定されるものではなく、本発明の要旨を逸脱しない範囲内において種々変更を加え得ることは勿論である。例えば、ブラシの種類や材質に関係なくあらゆるブラシに適用できる。
【図面の簡単な説明】
【００３４】
【図１】本発明に係るヘアブラシを右手でもっている状態の斜視図である。
【図２】本発明に係るヘアブラシを左手でもっている状態の斜視図である。
【図３】ヘアブラシの背面図である。
【図４】ヘアブラシの側面図である。
【図５】ヘアブラシの持ち方の一例であって、基板の両側のうち、一方の側の側縁沿いに形成した指置き凹部に人差し指と中指とを宛がい、植毛面のうちエラ部側の非植毛面に親指を当てている状態を示す図である。
【図６】ヘアブラシの持ち方の一例であって、基板の両側のうち、一方の側の側縁沿いに形成した指置き凹部に人差し指を宛がい、これと対向する他方の側の側縁に親指を当てている状態を示す図である。
【図７】ヘアブラシの持ち方の一例であって、基板の両側のうち、一方の側の指置き凹部に人差し指を宛がい、植毛面におけるエラ部側の適所に親指を当てている状態を示す図である。
【図８】ヘアブラシの持ち方の一例であって、把持部のみを握っている状態を示す図である。
【図９】本発明に係るヘアブラシを用いてブラッシングする状態を説明するための図である。
【図１０】図９に連続する説明図である。
【図１１】図１０に連続する説明図である。
【図１２】Ｓ字ブラシの斜視図である。
【符号の説明】
【００３５】
１ ヘアブラシ
５ ブラシ毛
２０ 植毛部
２２ 基板
２２ａ 植毛面
２２ａ１ 植毛面のうちブラシ毛のない箇所
２２ｂ 背面
２３ 側縁
２５ 先端部
２７ エラ部
２８（２８ａ，２８ｂ） 凹部
４０ 把持部
４０ａ 背面部
４０ｂ 植面部
４２ 後端部
５０ 額
５２ 毛髪
１００ 植毛部
１００ａ 植毛面
１０２ 把持部
Ｌ 中心線
【図１】
2006043275.tif 000003
【図２】
2006043275.tif 000004
【図３】
2006043275.tif 000005
【図４】
2006043275.tif 000006
【図５】
2006043275.tif 000007
【図６】
2006043275.tif 000008
【図７】
2006043275.tif 000009
【図８】
2006043275.tif 000010
【図９】
2006043275.tif 000011
【図１０】
2006043275.tif 000012
【図１１】
2006043275.tif 000013
【図１２】
2006043275.tif 000014